(57)【要約】【課題】簡易に施工することができ、構造物Ｓ等が施工される地下の凍結土層Ｆが凍結と解凍とが繰り返された場合でも地中の土砂との抵抗が低減されることがなく、構造物等の被支持部材が傾斜してしまう等の危険性を有効に回避することができる新規な簡易基礎及びこの簡易基礎の施工方法を提供する。【解決手段】支持部材２の左右に配置されてなる左外ガイド管、右外ガイド管１３，１４の上方からそれぞれ挿入され地中の凍結土層Ｆの深さよりもそれぞれ長尺に成形された左内ガイド管３及び右内ガイド管４と、上記左内ガイド管３及び右内ガイド管４の上方から挿入されるとともに上記凍結土層Ｆの下方における地中内に刺入されるにつれて該地中の土砂との抵抗により上記支持部材の下方よりも外側に徐々に湾曲する左杭部材５及び右杭部材６と、を備えてなる。【選択図】  図１
2016217095.tif 000002
【特許請求の範囲】
【請求項１】
構造物等の被支持部材を上部で支持する支持部材と、
この支持部材の左側に配置されてなり該支持部材の高さ方向に長さを有する左外ガイド管と、上記支持部材の右側に配置されてなり該支持部材の高さ方向に長さを有する右外ガイド管と、
上記左外ガイド管と右外ガイド管内の上方からそれぞれ挿入され地中の凍結土層の深さよりもそれぞれ長尺に成形された左内ガイド管及び右内ガイド管と、上記左内ガイド管及び右内ガイド管の上方から挿入されるとともに上記凍結土層の下方における地中内に刺入されるにつれて該地中の土砂との抵抗により上記支持部材の下方よりも外側に徐々に湾曲する左杭部材及び右杭部材と、を備えてなることを特徴とする簡易基礎。
【請求項２】
前記左杭部材及び右杭部材は、それぞれ金属製の管体からなる杭本体と、この杭本体の先端に配置されてなるとともに、該左杭部材及び右杭部材が地表側から地中内に刺入されるにつれて該地中の土砂との抵抗力により上記杭本体が前記支持部材の下方よりも外側に徐々に湾曲するようにガイドする傾斜ガイド面が先端に形成されたガイド部材と、を備え、上記ガイド部材は、上記杭本体に対して着脱可能とされてなることを特徴とする請求項１記載の簡易基礎。
【請求項３】
前記支持部材の下方には、該支持部材の高さを調整する高さ調節装置が配置される高さ調整装置用の配置空間、又は該支持部材には、該高さ調節装置と係合する係合部若しくは係合機構が形成されてなることを特徴とする請求項１又は２記載の何れかの簡易基礎。
【請求項４】
前記支持部材の左右両側には、前記左外ガイド管の上方に配置され前記左内ガイド管が挿通される上側左外ガイド管と、前記右外ガイド管の上方に配置され前記右内ガイド管が挿入される上側右外ガイド管と、が形成され、
上記上側左外ガイド管と左外ガイド管との間及び上記上側右外ガイド管と右外ガイド管との間には、それぞれ該上側左外ガイド管と左外ガイド管及び該上側右外ガイド管と右外ガイド管との内径よりも長尺な部位を有してなるとともに、前記左杭部材又は右杭部材の上端側中途部に固着される固着部材の固着空間が形成されてなることを特徴とする請求項１，２又は３記載の何れかの簡易基礎。
【請求項５】
前記請求項１記載の簡易基礎を用いた簡易基礎の施工方法であって、
前記支持部材を高さ調節装置により支持させるとともに、該高さ調節装置により該支持部材の高さを調節する支持部材の高さ調節工程と、
上記左外ガイド管と右外ガイド管との双方に、前記左内ガイド管又は右内ガイド管とを挿通するとともに、該左内ガイド管と右内ガイド管との双方の下端が地中に形成された凍結土層よりも下方に位置するまで刺入させる内ガイド管刺入工程と、
上記左内ガイド管又は右内ガイド管内に、前記左杭部材又は右杭部材を挿通するとともに、該左杭部材又は右杭部材の下端側を上記凍結土層よりも下方に刺入させる杭部材刺入工程と、を備えてなることを特徴とする簡易基礎の施工方法。
【請求項６】
前記請求項４記載の簡易基礎を用いた簡易基礎の施工方法であって、
前記支持部材を高さ調節装置により支持させるとともに、該高さ調節装置により該支持部材の高さを調節する支持部材の高さ調節工程と、
前記上側左外ガイド管と左外ガイド管との双方と、前記上側右外ガイド管と右外ガイド管との双方とに、前記左内ガイド管又は右内ガイド管とを挿通するとともに、該左内ガイド管と右内ガイド管との双方の下端が地中に形成された凍結土層よりも下方に位置するまで刺入させ、且つ、該左内ガイド管と右内ガイド管との上端が、上記左外ガイド管又は右外ガイド管の上端と面一又は左外ガイド管又は右外ガイド管の上端よりも下方に位置させる内ガイド管刺入工程と、
上記左内ガイド管又は右内ガイド管内に、前記左杭部材又は右杭部材を挿通し、該左杭部材又は右杭部材の下端側を上記凍結土層よりも下方に刺入させるとともに、該左杭部材と右杭部材との上端を上記上側左外ガイド管又は左外ガイド管内又は上側左外ガイド管又は左外ガイド管の上端よりも上方に位置させる杭部材刺入工程と、
前記固着部材の固着空間を利用して、上記左杭部材と右杭部材との上端側中途部にそれぞれ固着部材を固着させる固着部材固着工程と、
前記高さ調節装置による上記支持部材の支持状態を解除し、該高さ調節装置を取り除く高さ調節装置除去工程と、
を備えてなることを特徴とする簡易基礎の施工方法。
【発明の詳細な説明】
【技術分野】
【０００１】
本発明は、看板やフレーム或いは構造物等を支持するために地上に施工される簡易基礎及びこの簡易基礎の施工方法に関するものである。
【背景技術】
【０００２】
上記構造物等を支持するために、地上又は地中に設置される簡易基礎としては、これまで種々のものが提案されている。例えば、特許文献１に開示された簡易基礎は、上記構造物等を支持する柱状部材の下端側が挿通され支持される垂直円筒部と、それぞれ基端がこの垂直円筒部の外周に複数溶接されてなりそれぞれ該垂直円筒部から放射状に突出した接続板部と、これらの接続板部の先端に溶接されてなり下方にかけて該垂直円筒部から離間するように傾斜してなる複数の傾斜円筒部とから構成されている。そして、この特許文献１に開示された簡易基礎を施工する方法を説明すると、先ず、上記複数の傾斜円筒部内に、上方からそれぞれ打ち込みピンを挿通するとともに地中に圧入し（突き刺し）、該複数の打ち込みピンによりこの簡易基礎を固定する。次いで、上記柱状部材の下端側を上記垂直円筒部内に挿入する。また、特許文献２に開示された簡易基礎は、垂直に形成された垂直円筒部と、この垂直円筒部の上端側中途部に複数形成された上端側挿通穴と、該垂直円筒部の下端側中途部に複数形成された下端側挿通穴と、基端が上記各上端側挿通穴に内部が連通した状態で上記垂直円筒部の外周面に溶接され該垂直円筒部の軸芯との間で鋭角が形成されるように上向きに傾斜した状態で溶接された複数の上部挿通パイプと、基端が上記各下端側挿通穴に内部が連通した状態で上記垂直円筒部の外周面に溶接され該垂直円筒部の軸芯との間で鋭角が形成されるように下向きに傾斜した状態で溶接された複数の下部挿通パイプと、から構成されている。そして、この特許文献２に開示された簡易基礎を施工する方法を説明すると、先ず、上記特定の上部挿通パイプと特定の下部挿通パイプとにそれぞれ上端側を挿通するとともに、下端側は地中に圧入する（突き刺す）要領で、複数の打ち込みピンを固定する。この状態では、上記複数の打ち込みピンの上端側中途部は、上記垂直円筒部内において交差した状態となっている。次いで、上記垂直円筒部内にモルタル又はコンクリート等を充填するとともに、該モルタル又はコンクリート等の上部に柱状部材の下端を固定する固定部材を配置する。
【０００３】
したがって、上述した特許文献１や特許文献２に開示された簡易基礎によれば、簡易な方法で上記構造物等を支持し得る状態で施工することができる。
【先行技術文献】
【特許文献】
【０００４】
【特許文献１】特開２０１１−２４１５９０号公報
【特許文献２】米国特許第５０３９２５６号公報
【発明の概要】
【発明が解決しようとする課題】
【０００５】
しかしながら、上述した特許文献１に開示された簡易基礎や特許文献２に開示された簡易基礎では、寒冷地において表土が凍結し、地中深くに凍結土層が形成されている場合には、上記打ち込みピン等を簡単には打ち込むことはできない。また、機械装置等を用いて上記打ち込みピン等を打ち込むことができた場合であっても、凍結土層の解凍と凍結とが繰り返されることにより、打ち込みピンと地中の土砂との抵抗は徐々に低くなり、ひいては簡易基礎自体が支持する構造物の荷重等により傾斜してしまう危険性を避けることができない。
【０００６】
そこで、本発明は、上述した従来の簡易基礎が有する課題を解決するために提案されたものであって、簡易に施工することができるばかりではなく、構造物等が施工される地下の凍結土層が凍結と解凍とが繰り返された場合であっても地中の土砂との抵抗が低減されることがなく、構造物等の被支持部材が傾斜してしまう等の危険性を有効に回避することができる新規な簡易基礎及びこの簡易基礎の施工方法を提供することを目的とするものである。
【課題を解決するための手段】
【０００７】
本発明は、上記課題を解決するために提案された簡易基礎であって、第１の発明（請求項１記載の発明）は、構造物等の被支持部材を上部で支持する支持部材と、この支持部材の左側に配置されてなり該支持部材の高さ方向に長さを有する左外ガイド管と、上記支持部材の右側に配置されてなり該支持部材の高さ方向に長さを有する右外ガイド管と、上記左外ガイド管と右外ガイド管内の上方からそれぞれ挿入され地中の凍結土層の深さよりもそれぞれ長尺に成形された左内ガイド管及び右内ガイド管と、上記左内ガイド管及び右内ガイド管の上方から挿入されるとともに上記凍結土層の下方における地中内に刺入されるにつれて該地中の土砂との抵抗により上記支持部材の下方よりも外側に徐々に湾曲する左杭部材及び右杭部材と、を備えてなることを特徴とするものである。
【０００８】
この第１の発明に係る簡易基礎では、上記左外ガイド管に挿通された左内ガイド管内に、上記左杭部材が挿入されガイドされて地中に刺入され、上記右外ガイド管に挿通された右内ガイド管内に、上記右杭部材が挿入されガイドされて、それぞれの左杭部材及び右杭部材が地中に刺入される。そして、上記左内ガイド管と右内ガイド管とは、それぞれ地中の凍結土層の深さよりもそれぞれ長尺に成形されていることから、これら左内ガイド管と右内ガイド管の下端を凍結土層よりも下方に刺入した後に、上記左杭部材や右杭部材を地中に刺入することにより、該凍結土層の凍結や解凍とは無関係な地層において刺入される。しかも、これら左杭部材と右杭部材は、凍結土層よりも下方に形成された地中の土砂との抵抗により支持部材の下方よりも外側に徐々に湾曲しながら刺入されることから、より一層土砂との抵抗が高くなり、長期間に亘って安定した状態を維持することが可能となる。したがって、この第１の発明に係る簡易基礎によれば、構造物等の被支持部材が施工される地下の凍結土層が凍結と解凍とが繰り返された場合であっても地中の土砂との抵抗が低減されることがなく、構造物等の被支持部材が傾斜してしまう等の危険性を有効に回避することができる。
【０００９】
なお、この第１の発明に係る簡易基礎を構成する支持部材、左外ガイド管、右外ガイド管、左内ガイド管、右内ガイド管、左杭部材及び右杭部材は、それぞれ鉄やステンレススチールなどの金属性素材を使用することが好ましく、また、該左杭部材及び右杭部材は、上述したように、上記左内ガイド管及び右内ガイド管の上方から挿入されるとともに上記凍結土層の下方における地中内に刺入されるにつれて該地中の土砂との抵抗により上記支持部材の下方よりも外側に徐々に湾曲するものであれば良く、管状に成形されているもの以外にピンやアンカー等のような中実状のものであっても良い。また、これら左杭部材及び右杭部材が地中の土砂との抵抗により上記支持部材の下方よりも外側に徐々に湾曲するための構成は、後述する第２の発明以外に、該左杭部材及び右杭部材の先端に、傾斜面を形成し、この傾斜面と土砂との抵抗により上記湾曲するように構成されたものであっても良い。
【００１０】
また、第２の発明（請求項２記載の発明）は、上記第１の発明において、前記左杭部材及び右杭部材は、それぞれ金属製の管体からなる杭本体と、この杭本体の先端に配置されてなるとともに、該左杭部材及び右杭部材が地表側から地中内に刺入されるにつれて該地中の土砂との抵抗力により上記杭本体が前記支持部材の下方よりも外側に徐々に湾曲するようにガイドする傾斜ガイド面が先端に形成されたガイド部材と、を備え、上記ガイド部材は、上記杭本体に対して着脱可能とされてなることを特徴とするものである。
【００１１】
この第２の発明では、上記杭本体の先端に配置され上記傾斜ガイド面が先端に形成されたガイド部材が上記杭本体の先端に対して着脱可能に配置されていることから、上記左杭本体及び右杭本体の先端に傾斜面を形成する等の加工が必要とされず、長尺に成形された管体を所定長さで切断することにより、同一形状及び同一長さの多数本の杭本体を量産し、それぞれの杭本体に装着されるガイド部材を量産すれば良い。したがって、この第２の発明に係る簡易基礎によれば、上記左杭部材と右杭部材を安価に製造することが可能となる。
【００１２】
なお、上記それぞれのガイド部材に形成された傾斜面は、左杭部材及び右杭部材が地表側から地中内に刺入されるにつれて該地中の土砂との抵抗力により上記杭本体が前記支持部材の下方よりも外側に徐々に湾曲する作用を奏することが可能なものであれば、必ずしも平面状である必要性はなく、円弧状であっても良い。
【００１３】
また、第３の発明（請求項３記載の発明）は、上記第１又は第２の発明の何れかにおいて、前記支持部材の下方には、該支持部材の高さを調整する高さ調節装置が配置される高さ調整装置用の配置空間、又は該支持部材には、該高さ調節装置と係合する係合部若しくは係合機構が形成されてなることを特徴とするものである。
【００１４】
この第３の発明に係る簡易基礎では、前記支持部材の下方には、該支持部材の高さを調整する高さ調節装置が配置される高さ調整装置用の配置空間、又は該支持部材には、該高さ調節装置と係合する係合部若しくは係合機構が形成されてなることから、支持部材の高さを適宜調節することができる。特に、構造物等の被支持部材を支持するために、多数の支持部材が施工される現場では、それぞれの支持部材の高さが高精度に調節されなければ、上記被支持部材全体が傾斜したり、強固に支持・固定されない事態が発生したりぐらついたりする危険性があるところ、この第３の発明によれば、上記構成により、上記事態を有効に防止することが可能となる。
【００１５】
なお、上記高さ調節装置は、少なくとも上記支持部材の高さを調節する機能を有したものであれば良く、代表的なものとしては、回転軸を回転操作することにより、この回動軸の回転運動を上下運動に変換する構造を持つ各種のジャッキを使用することができる。また、この第３の発明では、上記支持部材の下方に、上記高さ調節装置が配置される高さ調整装置用の配置空間が形成されているものであっても良いばかりではなく、該支持部材に、上記高さ調節装置と係合する係合部若しくは係合機構が形成され、高さ調節装置を操作することにより、これら係合部又は係合機構を介して支持部材が上下方向に移動するようい構成されたものであっても良い。
【００１６】
また、第４の発明（請求項４記載の発明）は、上記第１、第２又は第３の発明の何れかにおいて、前記支持部材の左右両側には、前記左外ガイド管の上方に配置され前記左内ガイド管が挿通される上側左外ガイド管と、前記右外ガイド管の上方に配置され前記右内ガイド管が挿入される上側右外ガイド管と、が形成され、上記上側左外ガイド管と左外ガイド管との間及び上記上側右外ガイド管と右外ガイド管との間には、それぞれ該上側左外ガイド管と左外ガイド管及び該上側右外ガイド管と右外ガイド管との内径よりも長尺な部位を有してなるとともに、前記左杭部材又は右杭部材の上端側中途部に固着される固着部材の固着空間が形成されてなることを特徴とするものである。
【００１７】
この第４の発明に係る簡易基礎では、上記上側左外ガイド管と左外ガイド管との間及び上記上側右外ガイド管と右外ガイド管との間には、上記構成に係る固着空間が形成されており、この固着空間を利用してそれぞれの固着部材が左杭部材又は右杭部材の上端側中途部に固着されると、該左杭部材又は右杭部材が抜ける方向（地上方向）に力が作用した場合には、上記固着部材が上記上側左外ガイド管又は上側右ガイド管の下端に当接する。一方、上記左杭部材又は右杭部材が刺入される方向（地中方向）に力が作用した場合には、上記固着部材は、上記左外ガイド管又は右ガイド管の上端に当接する。すなわち、上記左杭部材又は右杭部材の上端側中途部に、上記固着部材が固着されることにより、該左杭部材又は右杭部材に対して鉛直方向の何れに力が作用しても移動する危険性を防止することができる。
【００１８】
また、第５の発明（請求項５記載の発明）は、上記第１の発明（請求項１記載の発明）に係る簡易基礎を用いた簡易基礎の施工方法であって、前記支持部材を高さ調節装置により支持させるとともに、該高さ調節装置により該支持部材の高さを調節する支持部材の高さ調節工程と、上記左外ガイド管と右外ガイド管との双方に、前記左内ガイド管又は右内ガイド管とを挿通するとともに、該左内ガイド管と右内ガイド管との双方の下端が地中に形成された凍結土層よりも下方に位置するまで刺入させる内ガイド管刺入工程と、上記左内ガイド管又は右内ガイド管内に、前記左杭部材又は右杭部材を挿通するとともに、該左杭部材又は右杭部材の下端側を上記凍結土層よりも下方に刺入させる杭部材刺入工程と、を備えてなることを特徴とするものである。
【００１９】
この第５の発明に係る簡易基礎の施工方法による場合であっても、上記第１、第２又は第３の発明と同じように、構造物等が施工される地下の凍結土層が凍結と解凍とが繰り返された場合であっても地中の土砂との抵抗が低減されることがなく、構造物等の被支持部材が傾斜してしまう等の危険性を有効に回避することができるとともに、正確な高さで支持部材を施工することができる。
【００２０】
また、第６の発明（請求項６記載の発明）は、上記請求項４記載の簡易基礎を用いた簡易基礎の施工方法であって、前記支持部材を高さ調節装置により支持させるとともに、該高さ調節装置により該支持部材の高さを調節する支持部材の高さ調節工程と、前記上側左外ガイド管と左外ガイド管との双方と、前記上側右外ガイド管と右外ガイド管との双方とに、前記左内ガイド管又は右内ガイド管とを挿通するとともに、該左内ガイド管と右内ガイド管との双方の下端が地中に形成された凍結土層よりも下方に位置するまで刺入させ、且つ、該左内ガイド管と右内ガイド管との上端が、上記左外ガイド管又は右外ガイド管の上端と面一又は左外ガイド管又は右外ガイド管の上端よりも下方に位置させる内ガイド管刺入工程と、上記左内ガイド管又は右内ガイド管内に、前記左杭部材又は右杭部材を挿通し、該左杭部材又は右杭部材の下端側を上記凍結土層よりも下方に刺入させるとともに、該左杭部材と右杭部材との上端を上記上側左外ガイド管又は左外ガイド管内又は上側左外ガイド管又は左外ガイド管の上端よりも上方に位置させる杭部材刺入工程と、前記固着部材の固着空間を利用して、上記左杭部材と右杭部材との上端側中途部にそれぞれ固着部材を固着させる固着部材固着工程と、前記高さ調節装置による上記支持部材の支持状態を解除し、該高さ調節装置を取り除く高さ調節装置除去工程と、備えてなることを特徴とするものである。
【００２１】
この第６の発明に係る簡易基礎の施工方法による場合であっても、上記第４の発明に係る簡易基礎と同じように、上記左杭部材又は右杭部材の上端側中途部に、上記固着部材が固着されることにより、該左杭部材又は右杭部材に対して鉛直方向の何れに力が作用しても移動する危険性を防止することができる。
【発明の効果】
【００２２】
上記第１の発明（請求項１記載の発明）に係る簡易基礎及び第５の発明（請求項５記載の発明）に係る簡易基礎の施工方法によれば、構造物等の被支持部材が施工される地下の凍結土層が凍結と解凍とが繰り返された場合であっても地中の土砂との抵抗が低減されることがなく、構造物等の被支持部材が傾斜してしまう等の危険性を有効に回避することができる。
【００２３】
また、上記第２の発明（請求項２記載の発明）に係る簡易基礎では、上記杭本体の先端に配置され上記傾斜ガイド面が先端に形成されたガイド部材が上記杭本体の先端に対して着脱可能に配置されていることから、上記左杭本体及び右杭本体の先端に傾斜面を形成する等の加工が必要とされず、長尺に成形された管体を所定長さで切断することにより、同一形状及び同一長さの多数本の杭本体を量産し、それぞれの杭本体に装着されるガイド部材を量産すれば良いことから、上記左杭部材と右杭部材を安価に製造することが可能となる。
【００２４】
また、上記第３の発明（請求項３記載の発明）に係る簡易基礎によれば、上記高さ調節装置が配置される高さ調整装置用の配置空間が形成されてなることから、支持部材の高さを適宜調節することができる。特に、構造物等の被支持部材を支持するために、多数の支持部材が施工される現場では、それぞれの支持部材の高さが高精度に調節されなければ、上記被支持部材全体が傾斜したり、強固に支持・固定されない事態が発生したりぐらついたりする危険性があるところ、この第３の発明によれば、上記構成により、上記事態を有効に防止することが可能となる。
【００２５】
また、第４の発明（請求項４記載の発明）に係る簡易基礎及び第６の発明（請求項６記載の発明）に係る簡易基礎の施工方法では、上記上側左外ガイド管と左外ガイド管との間及び上記上側右外ガイド管と右外ガイド管との間には、上記構成に係る固着空間が形成されており、この固着空間を利用してそれぞれの固着部材が左杭部材又は右杭部材の上端側中途部に固着されると、該左杭部材又は右杭部材が抜ける方向（地上方向）に力が作用した場合には、上記固着部材が上記上側左外ガイド管又は上側右ガイド管の下端に当接する。一方、上記左杭部材又は右杭部材が刺入される方向（地中方向）に力が作用した場合には、上記固着部材は、上記左外ガイド管又は右ガイド管の上端に当接する。したがって、これらの発明によれば、上記左杭部材又は右杭部材の上端側中途部に、上記固着部材が固着されることにより、該左杭部材又は右杭部材に対して鉛直方向の何れに力が作用しても移動する危険性を防止することができる。
【図面の簡単な説明】
【００２６】
【図１】本発明の実施の形態に係る簡易基礎を示す分解斜視図である。
【図２】支持部材にジャッキが取り付けられた状態を示す斜視図である。
【図３】支持部材とジャッキとを分解して示す分解斜視図である。
【図４】ジャッキにより支持部材を支持させた状態を示す正面図である。
【図５】左内ガイド管をセットする状態又はセットした後の状態を示す正面図である。
【図６】刺入用部材を用いて右内ガイド管を地中に刺入した状態を示す正面図である。
【図７】左内ガイド管及び右内ガイド管を地中に刺入した状態から刺入用部材を抜き取る工程を示す正面図である。
【図８】左杭部材と右杭部材を地中に刺入する工程を示す正面図である。
【図９】刺入された左杭部材又は右杭部材が地中内で湾曲した状態を示す正面図である。
【図１０】左杭部材及び右杭部材が地中に刺入された後の状態を示す正面図である。
【図１１】図９に示す状態からジャッキを取り除いた後の状態を示す正面図である。
【図１２】複数の簡易基礎を用いて太陽光パネルを支持した状態を示す正面図である。
【発明を実施するための形態】
【００２７】
以下、本発明を実施するための最良の形態に係る簡易基礎について図面を参照しながら詳細に説明し、次いで、この簡易基礎の施工方法を説明する。なお、この実施の形態に係る簡易基礎は、後述するように、被支持部材としての構造物である太陽光パネルを支持するために使用されるものに、本発明を適用したものである。
【００２８】
図１に示すように、この実施の形態に係る簡易基礎１は、鉄を素材としてなるとともに表面が塗料により塗装され又はメッキ処理等の防錆処理がされてなるものであり、支持部材２と、左内ガイド管３及び右内ガイド管４と、左杭部材５及び右杭部材６とから構成されている。
【００２９】
上記支持部材２は、図１、図２又は図３に示すように、鉛直方向に長さを有する長方形の正面板部２ａと、この正面板部２ａの背面に面対向し該正面板部２ａと同一の形状に成形された背面板部２ｂと、上記正面板部２ａと背面板部２ｂとの左側に両端が溶接・接続された左側板部２ｃと、この左側板部２ｃに面対向し両端が上記正面板部２ａと背面板部２ｂとに溶接・接続された右側板部２ｄと、を備え、上記正面板部２ａ、背面板部２ｂ、左側板部２ｃ及び右側板部２ｄの上端には、後述する太陽光パネルを上端で支持する支柱の下端が支持される天板部２ｅが配置されてなるとともに、該正面板部２ａ、背面板部２ｂ、左側板部２ｃ及び右側板部２ｄの下端には、上記天板部２ｅに面対向する底板部２ｆが配置されている。また、図３に示すように、上記正面板部２ａの下端側中途部と、上記背面板部２ｂの下端側中途部とには、それぞれ上下二つの挿通穴２ｇが形成されている。
【００３０】
そして、この支持部材２を構成する上記左側板部２ｃの外側面の中央であって該左側板部２ｃの上端側中途部には、鉛直方向に長さを有する上側左アーム板部７の基端が溶接されている。また、上記支持部材２を構成する上記左側板部２ｃの外側面の中央であって該左側板部２ｃの中途部から下端側には、鉛直方向に長さを有する下側左アーム板部８の基端が溶接されている。上記上側左アーム板部７と下側左アーム板部８との正面及び背面は、それぞれ互いに面一とされており、基端から左端までの長さも同一とされている。また、上記支持部材２を構成する上記右側板部２ｄの外側面の中央であって該右側板部２ｄの上端側中途部には、鉛直方向に長さを有する上側右アーム板部９の基端が溶接されている。また、上記支持部材２を構成する上記右側板部２ｄの外側面の中央であって該右側板部２ｄの中途部から下端側には、鉛直方向に長さを有する下側右アーム板部１０の基端が溶接されている。上記上側右アーム板部９と下側右アーム板部１０との正面及び背面は、それぞれ互いに面一とされており、基端から右端までの長さも同一とされている。なお、上記上側左アーム板部７と下側左アーム板部８との間及び上記上側右アーム板部９と下側右アーム板部１０との間は、互いに離間されている。
【００３１】
そして、図１又は図２に示すように、上記上側左アーム板部７の先端（左端）には、上側左外ガイド管１３が溶接され、上記下側左アーム板部８の先端（左端）には、下側左外ガイド管１４が溶接されている。上記上側左外ガイド管１３と下側左外ガイド管１４とは、それぞれ同一の径に成形されてなるとともに、同一の軸芯とされている。なお、この実施の形態に係る簡易基礎１では、上記下側左外ガイド管１４の長さは、上記上側左外ガイド管１３の長さよりも長尺に成形されてなるとともに、該下側左外ガイド管１４の下端は、上記支持部材２の下端よりも下方に位置している。また、上記上側右アーム板部９の先端（右端）には、上側右外ガイド管１５が溶接され、上記下側右アーム板部１０の先端（右端）には、下側右外ガイド管１６が溶接されている。上記上側右外ガイド管１５と下側右外ガイド管１６とは、それぞれ同一の径に成形されてなるとともに、同一の軸芯とされている。なお、この実施の形態に係る簡易基礎１では、上記下側右外ガイド管１６の長さは、上記上側右外ガイド管１５の長さよりも長尺に成形されてなるとともに、該下側右外ガイド管１６の下端は、上記支持部材２の下端よりも下方に位置している。そして、上記上側左外ガイド管１３の下端と上記下側左外ガイド管１４との間、及び上記上側右外ガイド管１５の下端と上記下側右外ガイド管１６との間には、それぞれ後述する固着部材が後述する左杭部材５又は右杭部材６の中途部に固着される固着空間１８，１９が形成されている。なお、上記下側左外ガイド管１４は、本発明を構成する左外ガイド管であり、上記下側右外ガイド管１６は、本発明を構成する右外ガイド管である。
【００３２】
また、上記支持部材２の正面には、図２又は図３に示すように、ジャッキ係合部材２０が該支持部材２に対して着脱可能に取り付けられている。なお、このジャッキ係合部材は、本発明を構成する係合機構である。そして、このジャッキ係合部材２０は、図３に示すように、鉛直方向に長さを有する角パイプ２１と、この角パイプ２１の背面に、溶接された上下二つのＬ字状金具２２と、これら上下二つのＬ字状金具２２にそれぞれ頭部２３ａが溶接されてなる上下二つのボルト２３と、これら上下のボルト２３の軸部２３ｂに螺着されるナット２４とから構成されている。上記角パイプ２１は、背面が上記支持部材２を構成する正面板部２ａに面対向する部材である。また、上記上下二つのＬ字状金具２２は、それぞれ先端が上記角パイプ２１の背面に溶接された水平板部(符号は省略する。)と、この水平板部の基端から直角に起立するよう折曲されてなる起立板部(符号は省略する。)と、から構成され、該起立板部の中央には図示しない円形状の開口が形成され、上記ボルト２３は、この開口に挿通された後に溶接固定されている。また、上記二つのボルト２３は、それぞれ上記頭部２３ａと軸部２３ｂとから構成され、この軸部２３ｂの周面には螺旋状のネジ部(符号は省略する。)が螺刻されている。そして、上記それぞれの軸部２３ｂは、図２に示すように、上記各挿通穴２ｇに挿通されているとともに、上記支持部材２の背面側において、上記ナット２４に螺着されている。すなわち、上記ジャッキ係合部材２０は、上記ボルト２３の軸部２３ｂのそれぞれに上記ナット２４を螺着させ螺進させることにより上記支持部材２に締結・装着することができるように構成されている。
【００３３】
そして、このジャッキ係合部材２０が装着された支持部材２は、図３に示すジャッキＪに係合され、このジャッキＪの調節作業により高さ調節可能とされている。このジャッキＪは、地表ＧＬに載置・設置されるベース板Ｊ１と、このベース板Ｊ１の中央から垂直に起立してなり周面には一方のネジ(符号は省略する。)が螺刻された軸部材Ｊ２と、この軸部材Ｊ２に螺着されてなる高さ調節部材Ｊ３とから構成されている。そして、上記高さ調節部材Ｊ３は、内周面に上記一方のネジに螺着された他方のネジ(符号は省略する。)が螺刻されたナット部Ｊ４と、このナット部Ｊ４の外周面から左右に突出してなるハンドル部Ｊ５とから構成されている。なお、上記ナット部Ｊ４の直径は、上記角パイプ２１の長さ幅よりも長尺にされている。
【００３４】
したがって、図２に示すように、上記支持部材２に上記ジャッキ係合部材２０を装着し、該ジャッキ係合部材２０を上記ジャッキＪにより支持させた状態において、該ジャッキＪを構成する高さ調節部材Ｊ３を回動操作することにより、上記支持部材２全体の高さを上下方向に調節することができる。
【００３５】
また、上記左内ガイド管３と右内ガイド管４とは、それぞれ同一形状に成形されてなり、上記上側左外ガイド管１３及び上記下側左外ガイド管１４、又は、上記上側右外ガイド管１５及び上記下側右外ガイド管１６に挿通される管体であるとともに、それぞれの長さは、下端が上記上側左外ガイド管１３又は上側右外ガイド管１５の上端から挿入され、下端側がそれぞれ地中に刺入された際に、該左内ガイド管３及び右内ガイド管４の下端が地中に形成された凍結土層Ｆよりも下方に位置する長さとされている。
【００３６】
また、上記左杭部材５及び右杭部材６は、それぞれ同一形状に成形されてなるものであり、それぞれ金属製の管体からなる杭本体２５，２６と、この杭本体２５，２６の先端に着脱可能に配置されたガイド部材２７，２８とから構成されている。これらのガイド部材２７，２８は、上記杭本体２２，２３の内径よりも僅かに小径に成形された挿入用管部２７ａ，２８ａと、外径は上記杭本体２５，２６の外形と同一に成形されてなり、該挿入用管部２７ａ，２８ａが杭本体２５，２６内に挿入された際に外部に露出する露出管部２７ｂ，２８ｂと、この露出管部２７ｂ，２８ｂの先端に形成され上記左杭部材５及び右杭部材６が地表ＧＬ側から地中内に刺入されるにつれて該地中の土砂との抵抗力により上記杭本体２５，２６が前記支持部材２の下方よりも外側に徐々に湾曲するようにガイドする傾斜ガイド面２７ｃ，２８ｃとから構成されている。
【００３７】
次に、上述した本実施の形態に係る簡易基礎１を地上に施工する工程を、各工程順に詳細に説明する。
【００３８】
この簡易基礎１を施工する方法は、先ず、図４に示すように、地面ＧＬ上において、上記支持部材２を、上記ジャッキ係合部材２０を介して上記ジャッキＪに支持させ、該ジャッキＪを構成する高さ調節部材Ｊ３を回転操作することにより、該支持部材２の高さを調節する（高さ調節工程）。
【００３９】
そして、この高さ調節工程が終了すると、次いで、上記左内ガイド管３を、上側左外ガイド管１３の上端から挿通し（図５参照）、さらに該左内ガイド管３を、上記下側左外ガイド管１４内に挿通するとともに、該左内ガイド管３の下端が凍結土層Ｆの下側まで到達するまで刺入する（内ガイド管刺入工程）。また、同様に、上記右内ガイド管４を、上側右外ガイド管１５の上端から挿通し、さらに該右内ガイド管４を、上記下側右外ガイド管１５内に挿通するとともに、図６に示すように、該右内ガイド管４の下端が凍結土層Ｆの下側まで到達するまで刺入する（内ガイド管刺入工程）。なお、このように（図７に示すように）、左内ガイド管３と右内ガイド管４を、地表ＧＬから該左内ガイド管３と右内ガイド管４の下端側が凍結土層Ｆの下方まで刺入する工程においては、図７に示す刺入用部材３１を用いて行っても良い。この刺入用部材３１は、上記左内ガイド管３や右内ガイド管４の外径よりも小径に成形され、該左内ガイド管３や右内ガイド管４よりも長尺に成形された小径管部材３２と、この小径管部材３２の上端側に固定されてなるとともに、上記左内ガイド管３や右内ガイド管４と同じ外径に成形され、下面は該左内ガイド管３や右内ガイド管４の上面に当接する大径管部材３３とから構成されている。すなわち、この刺入用部材３１を用いて上記左内ガイド管３や右内ガイド管４を刺入する場合には、予め上記刺入用部材３１を構成する小径管部材３２の下端側を、上記左内ガイド管３（右内ガイド管４）の上端から挿入し、その上で、該左内ガイド管３（右内ガイド管４）を上記上側左外ガイド管１３及び下側左外ガイド管１４（上側右外ガイド管１５及び下側右ガイド管１６）内に挿通し、該左内ガイド管３（右内ガイド管４）の下端が地表ＧＬ上に載置される状態にセットする。こうしたセット作業が終了すると、次いで、上記刺入用部材３１を構成する小径管部材３２の上端を、図示しない打ち込み装置又は金槌等により、地中に刺入する（打ち込む）。なお、こうした作業工程により上記左内ガイド管３や右内ガイド管４を刺入する（打ち込む）場合、該左内ガイド管３や右内ガイド管４の上端は、下側左外ガイド管１４や下側右ガイド管１６の上端よりもやや下方に位置させ、この位置まで上記左内ガイド管３や右内ガイド管４が刺入された後に、上記刺入用部材３１を抜き取る。
【００４０】
そして、上記それぞれの内ガイド管刺入工程が終了すると、次いで、上記左杭部材５や右杭部材６の各先端を、図８に示すように、上記上側左外ガイド管１３や上側右外ガイド管１５の上端側から挿入し、更に上記左内ガイド管３や右内ガイド管４の上端側から該左杭部材５や右杭部材６の各先端を挿入・挿通する。すると、これら（左杭部材５や）右杭部材６の先端は、上記（左内ガイド管３や）右内ガイド管４の先端（下端）位置で地中の土砂に当接する。そしてさらに、上記左杭部材５や右杭部材６を地中に刺入する（杭部材刺入工程）。すなわち、上記左杭部材５や右杭部材６の上端を、図示しない打ち込み装置又は金槌等により下方に圧入する。すると、上記左杭部材５や右杭部材６は、先に説明した傾斜ガイド面２７ｃ，２８ｃと地中の土砂との抵抗により、該左杭部材５及び右杭部材６は、上記支持部材２の下方よりも外側に徐々に湾曲される（図９及び図１０参照）。なお、こうした杭部材刺入工程により、上記左杭部材５や右杭部材６の上端は、上記上側左外ガイド管１３又は上側右外ガイド管１５の上端よりもやや上方に位置する。また、この状態においては、上記上側左外ガイド管１３と下側左外ガイド管１４との間と、上記上側右外ガイド管１５と下側右外ガイド管１６との間には、それぞれ上記左杭部材５又は右杭部材６の上端側中途部が外部に露出している。
【００４１】
そして、上記杭部材刺入工程が終了すると、次いで、図１１に示すように、上記上側左外ガイド管１３と下側左外ガイド管１４との間に露出している上記左杭部材５の上端側中途部に、左固着部材３５を固着し、また、上記上側右外ガイド管１５と下側右外ガイド管１６との間に露出している上記右杭部材の上端側中途部に、右固着部材３６を固着する（固着部材固着工程）。なお、これら左固着部材３５及び右固着部材３６は、それぞれ図１に示すように、上記左杭部材５又は右杭部材６の外周に接合される円弧状接合部３５ａ，３６ａと、この円弧状接合部３５ａ，３６ａの左右に形成されボルト３７が挿通される挿通穴３５ｂ，３６ｂが穿設された左右の固定板部３５ｃ，３５ｄ，３５ｃ，３６ｄとから構成され、これらの挿通穴３５ｂ，３６ｂに挿通されたボルト３７にナット３８が螺着されることにより、上記左杭部材５又は右杭部材６の外周に固着される。なお、上記左右の固定板部３５ｃ，３５ｄ，３５ｃ，３６ｄのそれぞれの先端は、上記上側左外ガイド管１３、下側左外ガイド管１４、上側右外ガイド管１５、下側右外ガイド管１６の外径よりも外側に突出している。そして、上記固着部材固着工程が終了すると、上記ジャッキＪをジャッキ係合部材２０から取り除く。
【００４２】
そして、上述した工程により、それぞれの簡易基礎１の固定・設置作業が終了すると、それぞれの支持部材２の天板部２ｅ上に支柱４１を固定し、これらの支柱４１を介して太陽光パネルＳを設置する。
【００４３】
したがって、上記実施の形態に係る簡易基礎１やこの簡易基礎１の施工工程によれば、簡易に施工することができるばかりではなく、上記太陽光パネルＳ等が施工される地下の凍結土層Ｆが凍結と解凍とが繰り返された場合であっても地中の土砂との抵抗が低減されることがなく、該太陽光パネルＳが傾斜してしまう等の危険性を有効に回避することができる。
【符号の説明】
【００４４】
１  簡易基礎
２  支持部材
３  左内ガイド管
４  右内ガイド管
５  左杭部材
６  右杭部材
１３  上側左外ガイド管
１４  下側左外ガイド管
１５  上側右外ガイド管
１６  下側右外ガイド管
１８，１９  固着空間
Ｊ  ジャッキ
ＧＬ  地表
Ｆ  凍結土層
Ｓ  太陽光パネル
【図１】
2016217095.tif 000003
【図２】
2016217095.tif 000004
【図３】
2016217095.tif 000005
【図４】
2016217095.tif 000006
【図５】
2016217095.tif 000007
【図６】
2016217095.tif 000008
【図７】
2016217095.tif 000009
【図８】
2016217095.tif 000010
【図９】
2016217095.tif 000011
【図１０】
2016217095.tif 000012
【図１１】
2016217095.tif 000013
【図１２】
2016217095.tif 000014